(57)【要約】【課題】本発明は、非常に実用的な雪庇落し具を提供することを目的とする。【解決手段】棒体１の先端部に雪切断部２が設けられた雪庇落し具であって、前記雪切断部２は、底板部２’とこの底板部２’の左右に立ち上がる左右側板部２”とから成り前端部及び後端部が開口する凹条形状をなし、前記左右側板部２”の上端部間に前記棒体１の先端部が連設されたものである。【選択図】図１
2020084538.tif 000002
【特許請求の範囲】
【請求項１】
棒体の先端部に雪切断部が設けられた雪庇落し具であって、前記雪切断部は、底板部とこの底板部の左右に立ち上がる左右側板部とから成り前端部及び後端部が開口する凹条形状をなし、前記左右側板部の上端部間に前記棒体の先端部が連設されていることを特徴とする雪庇落し具。
【請求項２】
請求項１記載の雪庇落し具において、前記底板部は後端側程巾広形状であることを特徴とする雪庇落し具。
【請求項３】
請求項１，２いずれか１項に記載の雪庇落し具において、前記左右側板部夫々の下端前端部は上端前端部より前方へ突出するように構成されており、前記左右側板部の前端縁は傾斜縁が設けられていることを特徴とする雪庇落し具。
【請求項４】
請求項１〜３いずれか１項に記載の雪庇落し具において、前記棒体は伸縮自在に設けられていることを特徴とする雪庇落し具。
【発明の詳細な説明】
【技術分野】
【０００１】
本発明は、雪庇落し具に関するものである。
【背景技術】
【０００２】
従来から、屋根の軒先に生じた雪庇を落すためのものとして、例えば特開２０１３−２３１３４３号に開示される雪庇落し具（以下、従来例）が提案されている。
【０００３】
この従来例は、図７に図示したように棒体31の先端部にワイヤー製の環状体から成る雪切断部32を設けた構造であり、屋根の軒先に生じた雪庇Ｓを落す場合、作業者は棒体31の基端部を持って雪切断部32を雪庇Ｓの上方に配し、この状態で棒体31を下方へ移動させて雪庇Ｓを切断させる。
【先行技術文献】
【特許文献】
【０００４】
【特許文献１】特開２０１３−２３１３４３号公報
【発明の概要】
【発明が解決しようとする課題】
【０００５】
ところで、従来例は、前述したように雪切断部32を上方から下方へ移動させて雪庇Ｓを切断する構造であり、雪庇Ｓを切断した直後、棒体32はこの切断した塊状の雪Ｓの下方位置にある為、この切断した塊状の雪Ｓが棒体32の上側を滑落して、棒体32を持っている作業者に当たってしまう場合がある(図７参照)。特に、雪切断部32を垂直に近い傾斜状態とした場合、落下する塊状の雪Ｓが作業者に当たる頻度が多くなる。
【０００６】
本発明は、前述した問題点を解消するもので、非常に実用的な雪庇落し具を提供する。
【課題を解決するための手段】
【０００７】
添付図面を参照して本発明の要旨を説明する。
【０００８】
棒体１の先端部に雪切断部２が設けられた雪庇落し具であって、前記雪切断部２は、底板部２’とこの底板部２’の左右に立ち上がる左右側板部２”とから成り前端部及び後端部が開口する凹条形状をなし、前記左右側板部２”の上端部間に前記棒体１の先端部が連設されていることを特徴とする雪庇落し具に係るものである。
【０００９】
また、請求項１記載の雪庇落し具において、前記底板部２’は後端側程巾広形状であることを特徴とする雪庇落し具に係るものである。
【００１０】
また、請求項１，２いずれか１項に記載の雪庇落し具において、前記左右側板部２”夫々の下端前端部は上端前端部より前方へ突出するように構成されており、前記左右側板部２”の前端縁は傾斜縁２ａが設けられていることを特徴とする雪庇落し具に係るものである。
【００１１】
また、請求項１〜３いずれか１項に記載の雪庇落し具において、前記棒体１は伸縮自在に設けられていることを特徴とする雪庇落し具に係るものである。
【発明の効果】
【００１２】
本発明は上述のように構成したから、前述した従来例と異なり、切断した雪が作業者に当たることが可及的に防止され、安全且つ良好に雪庇を除去することができるなど、非常に実用的な雪庇落し具となる。
【図面の簡単な説明】
【００１３】
【図１】本実施例を示す斜視図である。
【図２】本実施例の要部を示す断面図である。
【図３】本実施例の要部の説明図である。
【図４】本実施例の要部の動作説明図である。
【図５】本実施例の使用状態説明図である。
【図６】本実施例の使用状態説明図である。
【図７】従来例の使用状態説明図である。
【発明を実施するための形態】
【００１４】
好適と考える本発明の実施形態を、図面に基づいて本発明の作用を示して簡単に説明する。
【００１５】
例えば棒体１の基端部を持って該棒体１の先端部の雪切断部２を雪庇Ｓに刺し込むと、雪庇Ｓは前端開口部から雪切断部２内に入りながら切断され、この切断された塊状の雪Ｓは雪切断部２内を滑って下方へ落下する。
【００１６】
この雪切断部２内を滑って落下する塊状の雪Ｓは、雪切断部２の後端側開口部から排出された後、棒体１の下方を通過する為（塊状の雪Ｓは棒体１で上側から押えられた状態となる為）、この切断した塊状の雪Ｓが棒体１を持つ作業者に当たることが防止される。
【００１７】
また、本発明は、雪切断部２が凹条形状をなす為、雪庇Ｓを角型に整然と切断することができ、ひいては作業性も向上する。
【００１８】
従って、雪庇Ｓに刺し込むだけで雪庇Ｓを切断落下させることができ、安全且つ良好に雪庇Ｓの除去が行えることになる。
【実施例】
【００１９】
本発明の具体的な実施例について図面に基づいて説明する。
【００２０】
本実施例は、棒体１の先端部に雪切断部２が設けられた雪庇落し具である。
【００２１】
具体的には、棒体１は、図１に図示したように適宜な金属製（ステンレス）の部材で形成された中空棒状体であり、断面円形管状の第一棒体１Ａと、この第一棒体１Ａにスライド移動自在に嵌挿する断面円形管状の第二棒体１Ｂとから成り、棒体１は伸縮自在に構成されている。
【００２２】
また、第一棒体１Ａの先端部には、縮径作動することで第一棒体１Ａに対する第二棒体１Ｂのスライド移動を阻止する締付け部１ａが設けられている。
【００２３】
雪切断部２は、図１〜３に図示したように適宜な金属製の板材を折曲形成して設けられたものであり、底板部２’とこの底板部２’の左右に立ち上がる左右側板部２”とから成り前端部及び後端部が開口する凹条形状に構成されている。
【００２４】
また、雪切断部２を構成する左右側板部２”の上端部間に棒体１の先端部が連設されている。
【００２５】
具体的には、雪切断部２の左右側板部２”の上端部間に一対の板材から成る天板部３（架設部材）が架設され、この天板部３の中央部に棒体１の先端部が溶着連結されている。
【００２６】
この天板部３により雪切断部２は箱状となり、切断した雪Ｓが上方へ漏れることなく後端開口部２ｃへ良好に誘導されることになる。尚、この天板部３は一枚の板材で構成しても良いが、一対の板材で構成しているのは最低限の強度を確保しつつ軽量化する為である。同様の作用効果を発揮するのであれば板材でなく棒部材で構成しても良い。
【００２７】
また、底板部２’は、図３に図示したように後端側程巾広形状に設けられている。
【００２８】
従って、雪切断部２の前端開口部２ｂから入った塊状の雪Ｓが後端開口部２ｃから良好に排出される（図４参照）。
【００２９】
また、左右側板部２”夫々の下端前端部は上端前端部より前方へ突出するように構成されており、左右側板部２”の前端縁は傾斜縁２ａとして構成されている。
【００３０】
従って、雪切断部２は側面方向から見て先細り形状であり、スコップのように雪庇Ｓに刺入した時の抵抗が少なくなり、雪庇Ｓへ良好に刺入することができる。
【００３１】
本実施例は上述のように構成したから、例えば棒体１の基端部を持って該棒体１の先端部の雪切断部２を雪庇Ｓに刺し込むと、雪庇Ｓは前端開口部２ｂから雪切断部２内に入りながら切断され、この切断された塊状の雪Ｓは雪切断部２内を滑って下方へ落下する。
【００３２】
この雪切断部２内を滑って落下する塊状の雪Ｓは、雪切断部２の後端側開口部２ｃから排出された後、棒体１の下方を通過する為（塊状の雪Ｓは棒体１で上側から押えられた状態となるため）、この切断した塊状の雪Ｓが棒体１を持つ作業者に当たることが防止される（図５，６参照）。
【００３３】
また、本実施例は、雪切断部２が凹条形状をなす為、雪庇Ｓを角型に整然と切断することができ、ひいては作業性も向上する。
【００３４】
よって、本実施例によれば、雪庇Ｓに刺し込むだけで雪庇Ｓを切断落下させることができ、安全且つ良好に雪庇Ｓの除去が行えることになる。
【００３５】
また、本実施例は、底板部２’は後端側程巾広形状であるから、切断した雪Ｓを確実且つ良好に雪切断部２の後端開口部２ｃから排出させることができる。
【００３６】
また、本実施例は、左右側板部２”夫々の下端前端部は上端前端部より前方へ突出するように構成されており、左右側板部２”の前端縁は傾斜縁２ａが設けられているから、雪庇Ｓに雪切断部２を良好に刺し込むことができる。
【００３７】
また、本実施例は、棒体１は伸縮自在に設けられているから、作業場所に応じて棒体１を使い勝手の良い長さに可変することができる。
【００３８】
尚、本発明は、本実施例に限られるものではなく、各構成要件の具体的構成は適宜設計し得るものである。
【符号の説明】
【００３９】
１  棒体
２  雪切断部
２’  底板部
２”  左右側板部
２ａ  傾斜縁
【図１】
2020084538.tif 000003
【図２】
2020084538.tif 000004
【図３】
2020084538.tif 000005
【図４】
2020084538.tif 000006
【図５】
2020084538.tif 000007
【図６】
2020084538.tif 000008
【図７】
2020084538.tif 000009